(57)【特許請求の範囲】
【請求項１】
状態確認対象である処理装置の状態を、無線で状態確認装置により確認する状態確認システムにおいて、
前記処理装置の状態情報を収集する情報収集手段、前記処理装置に対応づけて当該処理装置の状態情報を記憶するＩＣタグ、および前記収集した状態情報を前記ＩＣタグに無線で書き込む手段を当該処理装置に設け、
前記ＩＣタグから無線で、記憶されている作業の事前および事後の状態情報をそれぞれ読み出して比較してその比較結果を出力する比較手段を前記状態確認装置に設け
たことを特徴とする状態確認システム。
【請求項２】
前記状態確認装置は、前記ＩＣタグから無線で、記憶されている作業の事前および事後の状態情報をそれぞれ読み出して比較してその比較結果が不一致のときに警報を発する、あるいは比較結果が不一致かつ前記ＩＣタグから無線で状態情報を読み出せなくなった距離に離れたときに警報を発する手段を備えたことを特徴とする請求項１記載の状態確認システム。
【請求項３】
前記状態確認装置は、前記状態情報のうち、前記不一致の箇所を強調表示あるいは抽出して不一致の箇所を表示することを特徴とする請求項１あるいは請求項２記載の状態確認システム。
【請求項４】
前記事後の状態情報として、作業者からの作業の終了の指示があり、かつ状態情報中に終了フラグが設定されていた状態情報としたことを特徴とする請求項１から請求項３のいずれかに記載の状態確認システム。
【請求項５】
前記処理装置の状態情報は、処理装置の設定情報あるいはタイマー情報あるいは版数情報あるいは環境情報あるいはこれらの組合せ情報であることを特徴とする請求項１から請求項４のいずれかに記載の状態確認システム。
【請求項６】
状態確認対象である処理装置の状態を、無線で状態確認装置により確認する状態確認方法において、
前記処理装置の状態情報を収集する情報収集ステップ、および前記収集した状態情報を、前記処理装置に対応づけて設けたＩＣタグに無線で書き込むステップを当該処理装置で実行、
前記ＩＣタグから無線で、記憶されている作業の事前および事後の状態情報をそれぞれ読み出して比較してその比較結果を出力するステップを前記状態確認装置で実行
することを特徴とする状態確認方法。
【発明の詳細な説明】
【技術分野】
【０００１】
本発明は、処理装置の状態を確認する状態確認装置および状態確認方法に関するものである。
【背景技術】
【０００２】
従来、処理装置の状態、例えば設定情報を保守・管理の作業前、作業後に確認するために、当該処理装置に備わった状態確認機能を操作して得た状態情報をもとに保守員が確認し、作業終了していた。このため、保守員の操作ミスや設定の戻し忘れなどが発生してしまっていた。
【０００３】
これを解決するために、処理装置の状態情報外部端子に、状態確認装置をつないで状態情報を収集し、事前と事後の状態情報を比較して警報を出す装置がある（特許文献１）。
【特許文献１】特開平０７−２８１７３４号公報
【発明の開示】
【発明が解決しようとする課題】
【０００４】
上述した処理装置の状態情報外部端子に、状態確認装置をつないで状態情報を収集し、事前と事後の状態情報を比較して警報を出す装置では、処理装置側および状態確認装置側ともに大がかりな信号受け渡し回路が必要となりコストが高くなると共に構成が煩雑となってしまうという問題がある。また、処理装置側の電源断となっている場合には、処理装置の状態情報を取得できないという問題がある。
【課題を解決するための手段】
【０００５】
本発明は、これらの問題を解決するため、処理装置にＩＣタグを装着して当該処理装置の状態情報を随時格納して保存し、保守・管理などの作業の開始、終了時に外部からＩＣタグに格納されている状態情報を読み取って比較して比較結果を提示するようにしている。
【０００６】
従って、処理装置の保守員などによる作業前と作業後の状態情報の戻し忘れなどを防止すると共に処理装置側が電源断であっても状態情報を読み取って確認可能にすることを目的としている。
【発明の効果】
【０００７】
本発明は、処理装置にＩＣタグを装着して状態情報を随時格納して保存し、保守・管理などの作業の開始、終了時に外部からＩＣタグに格納されている状態情報を読み取って比較して比較結果を提示する構成を採用しているため、処理装置の保守員などによる作業前と作業後の状態情報の戻し忘れなどを防止すると共に処理装置側が電源断であっても状態情報を読み取って確認することができる。
【発明を実施するための最良の形態】
【０００８】
本発明は、処理装置にＩＣタグを装着して状態情報を随時格納して保存し、保守・管理などの作業の開始、終了時に外部からＩＣタグに格納されている状態情報を読み取って比較して比較結果を提示し、処理装置の保守員などによる作業前と作業後の状態情報の戻し忘れなどを防止すると共に処理装置側が電源断であっても状態情報を読み取って確認可能にすることを実現した。
【実施例１】
【０００９】
図１は、本発明のシステム構成図を示す。
図１において、処理装置１は、プログラムに従い各種業務処理を行うものであって、ここでは、処理部１１、状態設定部１５、各種状態情報１２、状態情報収集部１３、ＩＣタグ書込部１４、ＩＣタグ３などから構成されるものである。
【００１０】
処理部１１は、各種状態情報１２の環境のもとにプログラムに従い各種業務処理を実行するものである。
状態設定部１５は、各種状態情報１２を設定するものである。
【００１１】
各種状態情報１２は、処理部１１に設定する各種の状態情報であって、例えば下記の状態情報である。
【００１２】
・メモリ設定情報：
・キー設定情報：
・タイマ設定情報（年月日）：
・版数情報：
・その他：
ここで、メモリ設定情報は処理部１１を構成するメモリの設定情報（例えばシステム設定、ネットワーク設定、Ｉ／Ｏ設定、管理ツール設定など）である、キー設定情報は電源のリモート／ローカルの区別、プロテクト、オンライン／保守モードなどの情報である。タイマ設定情報は西暦情報、月、日情報などである。版数情報は装置の版数、ソフトの版数、媒体の版数などの情報である。その他は処理装置で設定する必要のあるその他の設定情報である。
【００１３】
状態情報収集部１３は、処理部１１の各種状態情報１２を収集するものである。
ＩＣタグ書込部１４は、状態情報収集部１３で収集した状態情報を、無線でＩＣタグ３に書き込むものである。
【００１４】
ＩＣタグ３は、状態情報を記憶するものである。
状態確認装置２は、ＩＣタグ３から状態情報を読み出して確認（例えば保守作業の事前状態と事後状態とを比較して不一致箇所がないか確認）するものであって、ここでは、ＩＣタグ読取部２１、事前状態保存部２２、事前状態記憶部２３、事後状態保存部２４、事後状態記憶部２５、比較部２６、警告部２７，および通知部２８などから構成されるものである。
【００１５】
ＩＣタグ読取部２１は、処理装置１に対応づけて設置されたＩＣタグ３から当該処理装置１の状態情報を、無線で読み取るものである。
【００１６】
事前状態保存部２２は、ＩＣタグ読取部２１に指示して、保守などの作業前の状態情報をＩＣタグ３から無線で読み取らせ、読み取らせた状態情報を事前状態記憶部２３に記憶
させるものである。
【００１７】
事前状態記憶部２３は、処理装置１に対応づけて設置されたＩＣタグ３から読み取られた、保守などの作業前の状態情報を記憶するものである。
【００１８】
事後状態保存部２４は、ＩＣタグ読取部２１に指示して、保守などの作業後の状態情報をＩＣタグ３から無線で読み取らせ、読み取らせた状態情報を事後状態記憶部２５に記憶させるものである。
【００１９】
事後状態記憶部２５は、処理装置１に対応づけて設置されたＩＣタグ３から読み取られた、保守などの作業後の状態情報を記憶するものである。
【００２０】
比較部２６は、事前状態記憶部２３および事後状態記憶部２５に記憶されている事前および事後の状態情報を比較し、不一致箇所を強調表示したり、不一致箇所を抽出して表示したりなどするものである。
【００２１】
警報部２７は、比較部２６で比較して不一致箇所があったときに警報を発したり、更に、ＩＣタグ読取部２１でＩＣタグ３からの状態情報などの読み取りが不可となる距離に当該ＩＣタグ読取部２１が離れたときに警報を発したり、あるいは不一致箇所がありかつ読取不可となる距離に離れたときに警報を発したりし、処理装置１の状態情報の事前と事後とが不一致の旨の警報を発して設定の戻し忘れなどを防止するものである。
【００２２】
パソコン９は、状態確認装置２の２２から２８の具体的な構成例であって、当該パソコン９に状態確認用のソフトをインストールして当該状態確認装置で動作させるためのものである。
【００２３】
次に、図２のフローチャートの順番に従い、図１の構成の動作を詳細に説明する。
図２は、本発明の動作説明フローチャートを示す。
【００２４】
図２において、Ｓ１は、ＩＣタグ情報の読み取りをする。これは、図１の状態確認装置２を構成するＩＣタグ読取部２１が保守対象の装置であり、処理装置１に対応づけて設置されているＩＣタグ３から当該処理装置１の状態情報を読み取る。
【００２５】
Ｓ２は、事前／事後か判別する。これは、Ｓ１で読み取った状態情報が保守作業の開始前の状態情報か、あるいは終了後の状態情報か判別（例えば保守作業者からの事前、事後の指示をもとに判別）する。事前の場合には、保守作業の開始前（事前）と判明したので、Ｓ３でＩＣタグ３を読み取り、事前状態として保存（図１の事前状態記憶部２３に読み取った事前状態の状態情報を保存、およびＩＣタグ３の状態情報中の最終フラグをＯＦＦにリセット）する。一方、事後の場合には、保守作業の終了（事後）と判明したので、Ｓ４に進む。
【００２６】
Ｓ４は、最終フラグがオン（ＯＮ）か判別する。ＯＮの場合には、ＩＣタグ３から読み取った状態情報中の最終フラグがＯＮと判明したので、Ｓ５に進む。一方，ＯＦＦの場合には、ＩＣタグ３から読み取った状態情報中の最終フラグがＯＦＦで未だ作業終了の旨が当該ＩＣタグ３に書き込まれていないと判明したので、Ｓ８で警告の通知を保守作業者に行い、保守の終了状態の確認を促す。
【００２７】
Ｓ５は、Ｓ４のＯＮで、ＩＣタグ３から読み取った状態情報中の最終フラグがＯＮと判明したので、ＩＣタグ３を読み取り事後状態として保存（図１の事後状態記憶部２５に読み取った事後状態の状態情報を保存）する。
【００２８】
Ｓ６は、事前と事後の状態を比較する。これは、Ｓ３で保存した事前の状態情報と、Ｓ５で保存した事後の状態情報とを比較し、不一致箇所を見つける。
【００２９】
Ｓ７は、比較結果の通知を行う。これは、Ｓ６の比較で不一致箇所が見つかったときにその不一致箇所を強調表示、あるいは不一致箇所を抽出して表示して警告する（図６参照）。
【００３０】
以上によって、図１の構成のもとで処理装置１の状態情報をＩＣタグ３に逐次書込んでいる状態（図３で後述）で、携帯型の状態確認装置２を所持する保守員が保守対象の処理装置１の設置されている部屋に入ると、自動的にＩＣタグ３から事前の状態情報を読み取って記憶し、保守作業が終了すると自動的にＩＣタグ３から事後の状態情報を読み取って両者を比較し、不一致箇所があればその不一致箇所を強調表示あるいは不一致箇所を抽出して表示して警告し再設定を促し、保守員による設定戻し忘れなどを完全に防止することが可能となる。
【００３１】
図３は、本発明の動作説明フローチャート（状態情報を書くタイミング）を示す。
図３において、Ｓ１１からＳ１３は、設定変更処理１，２・・・ｎをそれぞれ行う。
【００３２】
Ｓ１５は、Ｓ１１からＳ１３の設定変更処理１，２・・・ｎが終了したときに、それぞれ変更情報を収集する。
【００３３】
Ｓ１６は、ＩＣタグ３に変更情報をマージして書き込む。
以上のＳ１１からＳ１６により、図１のＩＣタグ３には、処理部１１の設定変更処理１，２・・・ｎが行われる毎に、状態情報をそれぞれ採取し、マージしてＩＣタグ３に現在のマージ後の状態情報として書き込むことが可能となる。
【００３４】
図３において、Ｓ２１は、保存の終了処理を行う。これは、保守員が処理装置１の保守・管理の作業を終了し、終了処理を指示する。
【００３５】
Ｓ２２は、ＩＣタグ３に最終フラグを立てる（ＯＮにセットする）。これは、Ｓ２１の終了処理の指示に対応して、後述するＩＣタグ３に書き込む状態情報中の最終フラグにＯＮを書き込む。
【００３６】
Ｓ２３は、ＩＣタグ３に最終設定情報を書き込む。これは、ＩＣタグ３に、最終設定情報（最終の設定した状態情報）を書き込む。
【００３７】
以上のＳ２１からＳ２３によって、保守作業が終了した旨を表す終了フラグをＯＮおよび状態情報をＩＣタグ３にそれぞれ書き込むことが可能となる。
【００３８】
図４は、本発明の動作説明フローチャートを示す。
図４において、Ｓ３１は、ＩＣタグ情報の読み取りする。これは、図１の状態確認装置２を構成するＩＣタグ読取部２１が保守対象の装置であり、処理装置１に対応づけて設置されているＩＣタグ３から当該処理装置１の現在の書き込まれている状態情報を読み取る。
【００３９】
Ｓ３２は、事前／事後か判別する。これは、Ｓ３１で読み取った状態情報が保守作業の開始前の状態情報か、あるいは終了後の状態情報か判別（例えば保守作業者からの事前、事後の指示をもとに判別）する。事前の場合には、保守作業の開始前（事前）と判明したので、Ｓ３でＩＣタグ３を読み取り、事前状態として保存（図１の事前状態記憶部２３に読み取った事前状態の状態情報を保存、およびＩＣタグ３の状態情報中の最終フラグをＯＦＦにリセット）する。一方、事後の場合には、保守作業の終了（事後）と判明したので、Ｓ３４に進む。
【００４０】
Ｓ３４は、最終フラグがオン（ＯＮ）か判別する。ＯＮの場合には、ＩＣタグ３から読み取った状態情報中の最終フラグがＯＮと判明したので、Ｓ３５に進む。一方，ＯＦＦの場合には、ＩＣタグ３から読み取った状態情報中の最終フラグがＯＦＦで未だ作業終了の旨が当該ＩＣタグ３に書き込まれていないと判明したので、Ｓ３８で警告の通知を保守作業者に行い、保守の終了状態の確認を促す。
【００４１】
Ｓ３５は、Ｓ３４のＯＮで、ＩＣタグ３から読み取った状態情報中の最終フラグがＯＮと判明したので、ＩＣタグ３を読み取り事後状態として保存（図１の事後状態記憶部２５に読み取った事後状態の状態情報を保存）する。
【００４２】
Ｓ３６は、事前と事後の状態を比較する。これは、Ｓ３３で保存した事前の状態情報と、Ｓ３５で保存した事後の状態情報とを比較し、不一致箇所を見つける。
【００４３】
Ｓ３７は、比較結果の通知を行う。これは、Ｓ３６の比較で不一致箇所が見つかったときにその不一致箇所を強調表示、あるいは不一致箇所を抽出して表示して警告する（図６参照）。
【００４４】
Ｓ３８は、状態一致か判別する。ＹＥＳの場合には、事前と事後の状態情報が一致したので終了する。一方、ＮＯの場合には、Ｓ３９に進む。
【００４５】
Ｓ３９は、Ｓ３８のＮＯで事前と事後の状態情報が不一致と判明したので、ＩＣタグ情報の読み取りを行う。
【００４６】
Ｓ４０は、ＩＣタグ読み取り不可か判別する。これは、図１のＩＣタグ読取部２１がＩＣタグ３から状態情報の読み取り不可か判別する。ＮＯの場合には、読み取りできたので、Ｓ３９に戻り繰り返す。一方、Ｓ４０のＹＥＳの場合には、ＩＣタグ３から状態情報の読み取りが不可（所定回数不可）で、ＩＣタグ３から図１の状態確認装置２を構成するＩＣタグ読取部２１が離れてもはや当該ＩＣタグ３から状態情報の読み取りができない距離に来たと判明したので、Ｓ４１で警報を出す（事前と事後との状態情報が不一致で、ＩＣタグ３の読み取り範囲外に出ましたとの旨の音声を出し、状態情報が不一致の旨の警報を発する）。
【００４７】
以上によって、保守員が処理装置１の保守作業を終了した旨の操作をしてＩＣタグ３に書き込ませる状態情報中の最終フラグをＯＮにセットしないと、状態確認装置２が当該最終フラグがＯＮでなく、かつＩＣフラグ３の読み取り距離よりも離れると警報を発し、最終フラグをＯＮにし、かつ事前と事後の状態情報の不一致箇所を無くすように自動的に警報を発して促すことが可能となる。
【００４８】
図５は、本発明のＩＣタグ情報例を示す。図示のＩＣタグ３の情報としては、図示の下記の情報を随時書き込む（図３参照）。
【００４９】
・タグＩＤ：
・状態情報：
・最終フラグ：
・その他：
ここで、タグＩＤは処理装置１に対応づけて設置するＩＣタグ３を識別するタグＩＤであって、複数の処理装置１毎に異なるタグＩＤを設けて識別するためのものである。状態情報は処理装置１の状態情報であって、図示の下記の情報である。最終フラグは保守などの作業が終了したときにＯＮに設定するフラグである。
【００５０】
・メモリ設定情報：システム設定、ネットワーク設定、Ｉ／Ｏ設定、管理ツール設定等
・キー設定情報：電源のリモート／ローカル、プロテクト、オンライン／保守モード等
・タイマ設定情報：西暦情報、月情報、日情報等
・版数設定情報：装置版数、ソフト版数、媒体版数等
・その他：
図６は、本発明の比較結果表示例を示す。
【００５１】
図６の（ａ）は、作業前の設定情報（状態情報）を模式的に表した例を示す。
図６の（ｂ）は、作業後の設定情報（状態情報）を模式的に表した例を示す。図６の（ａ）と（ｂ）の不一致箇所の色を変えて強調表示する。
【００５２】
図６の（ｃ）は、メッセージ情報例を示す。不一致箇所の状態情報のレベル分け（例えば重要な状態情報の不一致のときに、「重要な・・・」という警告メッセージを表示し、軽度な状態情報の不一致のときに、「軽度な・・・」という警告メッセージを表示し、レベル分けして警告メッセージを表示する。
【産業上の利用可能性】
【００５３】
本発明は、処理装置にＩＣタグを装着して状態情報を随時格納して保存し、保守・管理などの作業の開始、終了時に外部からＩＣタグに格納されている状態情報を読み取って比較して比較結果を提示することが可能となる。
【図面の簡単な説明】
【００５４】
【図１】本発明のシステム構成図である。
【図２】本発明の動作説明フローチャートである。
【図３】本発明の動作説明フローチャート（状態情報を書くタイミング）である。
【図４】本発明の動作説明フローチャートである。
【図５】本発明のＩＣタグ情報例である。
【図６】本発明の比較結果表示例である。
【符号の説明】
【００５５】
１：処理装置
１１：処理部
１２：各種状態情報
１３：状態情報収集部
１４：ＩＣタグ書込部
１５：状態設定部
２：状態確認装置
２１：ＩＣタグ読取部
２２：事前状態保存部
２３：事前状態記憶部
２４：事後状態保存部
２５：事後状態記憶部
２６：比較部
２７：警報部
２８：通知部
３：ＩＣタグ
９：パソコン
【図１】
0004672279.tif 000002
【図２】
0004672279.tif 000003
【図３】
0004672279.tif 000004
【図４】
0004672279.tif 000005
【図５】
0004672279.tif 000006
【図６】
0004672279.tif 000007